(57)【特許請求の範囲】
【請求項１】
筐体と、
前記筐体内に設けられた高電圧を印加する導体類または電気機器と、
前記筐体内に設けられ、前記高電圧を印加する導体類または電気機器をその周囲から絶縁された状態で前記筐体内に支持する絶縁支持体と、
前記絶縁支持体を介して生じる前記高電圧を印加する導体類または電気機器からの放電による発光を撮影するカメラと、
前記カメラにより撮影された画像を記録する記録部と、
前記筐体内の相対湿度を検出する湿度検出部と、
前記湿度検出部により検出された相対湿度が第１の湿度基準値を上回ったときに前記カメラによる前記発光の撮影および前記記録部による前記画像の記録を開始させる制御部とを備えていることを特徴とする閉鎖型電気設備。
【請求項２】
前記制御部は、前記湿度検出部により検出された相対湿度が第２の湿度基準値以下となったときに前記カメラによる前記発光の撮影および前記記録部による前記画像の記録を停止させることを特徴とする請求項１に記載の閉鎖型電気設備。
【請求項３】
前記筐体内のオゾンガスの濃度を検出するオゾン検出部を備え、
前記制御部は、前記湿度検出部により検出された相対湿度が前記第１の湿度基準値を上回ったとき、または前記オゾン検出部により検出されたオゾンガスの濃度が第１の濃度基準値を上回ったときに前記カメラによる前記発光の撮影および前記記録部による前記画像の記録を開始させることを特徴とする請求項１または２に記載の閉鎖型電気設備。
【請求項４】
前記制御部は、前記湿度検出部により検出された相対湿度が第２の湿度基準値以下となり、かつ前記オゾン検出部により検出されたオゾンガスの濃度が第２の濃度基準値以下となったときに前記カメラによる前記発光の撮影および前記記録部による前記画像の記録を停止させることを特徴とする請求項３に記載の閉鎖型電気設備。
【請求項５】
前記制御部は、前記オゾン検出部により検出されたオゾンガスの濃度が前記第１の濃度基準値を上回ったときに、前記筐体内におけるオゾンガスの滞留を示す通知信号を出力することを特徴とする請求項３または４に記載の閉鎖型電気設備。
【発明の詳細な説明】
【技術分野】
【０００１】
本発明は、例えば、閉鎖型スイッチギヤ等、受変電設備として用いられる閉鎖型電気設備に関する。
【背景技術】
【０００２】
一般に、閉鎖型スイッチギヤ等の受変電設備として用いられる閉鎖型電気設備は、金属製の略箱型の筐体を備えており、筐体内には、例えば主母線および種々の電気機器が設けられている。筐体内に設けられる具体的な電気機器は、閉鎖型電気設備の用途等によって異なるが、例えば、遮断器、避雷器、計器用変成器等である。
【０００３】
閉鎖型電気設備の筐体内に設けられる主母線は、高電圧を印加する導体類であるため、筐体内において、絶縁支持体を介して筐体の壁部等に支持される。絶縁支持体には、例えばエポキシ樹脂等の合成樹脂により形成された支持碍子が用いられる。遮断器、避雷器等も必要に応じて絶縁支持体により支持される。
【０００４】
閉鎖型電気設備は屋外に設置されることが多い。閉鎖型電気設備の筐体等には通気口が形成され、通気口を介して筐体内を換気し、筐体内の温度の上昇を抑制している。閉鎖型電気設備の中には、換気ファンを設け、強制的に換気を行うものもある（特許文献１参照）。
【先行技術文献】
【特許文献】
【０００５】
【特許文献１】特開２０１２−０１６１９４号公報
【発明の概要】
【発明が解決しようとする課題】
【０００６】
ところで、閉鎖型電気設備において、主母線等をその周囲と絶縁させつつ支持している絶縁支持体の絶縁抵抗は、例えば次のような要因により低下する。
【０００７】
すなわち、絶縁支持体の表面に塵埃等が付着・堆積し、この状態で、筐体内の相対湿度が高くなると、付着・堆積した塵埃等が吸湿する。このため、絶縁支持体の絶縁抵抗が低下し、主母線等からの漏れ電流が増加する。また、漏れ電流の増加により微小放電が起こりやすくなり、微小放電が繰り返されると、これにより発生するジュール熱によって、絶縁支持体の表面にドライバンドが形成され、いわゆるトラッキング劣化が生じる。これによっても絶縁支持体の絶縁抵抗が低下する。さらに、微小放電が長期間繰り返されると、筐体内にオゾンガスが滞留する。オゾンガスの滞留は、絶縁支持体の劣化・腐食の進行を加速させ、絶縁抵抗のさらなる低下を招く。
【０００８】
絶縁支持体の絶縁抵抗が大幅に低下すると、地絡、短絡事故等を引き起こす危険性が生じてくるため、絶縁支持体の絶縁抵抗の低下またはその傾向を早期に発見することが望まれる。
【０００９】
しかしながら、閉鎖型電気設備における絶縁支持体の絶縁抵抗の低下を早期に発見することは、次の理由により容易ではない。
【００１０】
すなわち、絶縁支持体の劣化・腐食の進行具合を直接測定することにより、絶縁支持体の絶縁抵抗の低下を発見することができるが、そのためには閉鎖型電気設備の稼働を停止させなければならない。閉鎖型電気設備の稼働の停止は、電力供給の制限ないし停止を伴うためできる限り避けなければならない。
【００１１】
また、絶縁支持体の絶縁抵抗の低下は、絶縁支持体の劣化・腐食が進行することにより生じることが従来知られているが、絶縁支持体の劣化・腐食がまだあまり進行していない初期の段階でも生じることが近年判明している。すなわち、上述したように、絶縁支持体の周囲に塵埃等が付着・堆積した状態で相対湿度が高くなると、塵埃が吸湿して湿った状態となり、これにより絶縁支持体の絶縁抵抗が低下する。このような初期の段階における絶縁抵抗の低下も、事故の危険性の高まりを示すものとしてこれを発見し、事故を未然に防止するための措置を講ずることが望まれる。しかしながら、初期の段階における絶縁抵抗の低下は、絶縁支持体の劣化・腐食があまり進行していない状態でも起こるため、絶縁支持体の劣化・腐食の進行具合を直接測定する方法では、これを発見することが難しい。
【００１２】
本発明は例えば上述したような問題に鑑みなされたものであり、本発明の課題は、絶縁支持体の絶縁抵抗の低下またはその傾向を早期に発見することができる閉鎖型電気設備を提供することにある。
【課題を解決するための手段】
【００１３】
上記課題を解決するために、本発明の第１の閉鎖型電気設備は、筐体と、前記筐体内に設けられた高電圧を印加する導体類または電気機器と、前記筐体内に設けられ、前記高電圧を印加する導体類または電気機器をその周囲から絶縁された状態で前記筐体内に支持する絶縁支持体と、前記絶縁支持体を介して生じる前記高電圧を印加する導体類または電気機器からの放電による発光を撮影するカメラと、前記カメラにより撮影された画像を記録する記録部と、前記筐体内の相対湿度を検出する湿度検出部と、前記湿度検出部により検出された相対湿度が第１の湿度基準値を上回ったときに前記カメラによる前記発光の撮影および前記記録部による前記画像の記録を開始させる制御部とを備えていることを特徴とする。
【００１４】
また、本発明の第２の閉鎖型電気設備は、上述した本発明の第１の閉鎖型電気設備において、前記制御部は、前記湿度検出部により検出された相対湿度が第２の湿度基準値以下となったときに前記カメラによる前記発光の撮影および前記記録部による前記画像の記録を停止させることを特徴とする。
【００１５】
また、本発明の第３の閉鎖型電気設備は、上述した本発明の第１または第２の閉鎖型電気設備において、前記筐体内のオゾンガスの濃度を検出するオゾン検出部を備え、前記制御部は、前記湿度検出部により検出された相対湿度が前記第１の湿度基準値を上回ったとき、または前記オゾン検出部により検出されたオゾンガスの濃度が第１の濃度基準値を上回ったときに前記カメラによる前記発光の撮影および前記記録部による前記画像の記録を開始させることを特徴とする。
【００１６】
また、本発明の第４の閉鎖型電気設備は、上述した本発明の第３の閉鎖型電気設備において、前記制御部は、前記湿度検出部により検出された相対湿度が第２の湿度基準値以下となり、かつ前記オゾン検出部により検出されたオゾンガスの濃度が第２の濃度基準値以下となったときに前記カメラによる前記発光の撮影および前記記録部による前記画像の記録を停止させることを特徴とする。
【００１７】
また、本発明の第５の閉鎖型電気設備は、上述した本発明の第３または第４の閉鎖型電気設備において、前記制御部は、前記オゾン検出部により検出されたオゾンガスの濃度が前記第１の濃度基準値を上回ったときに、前記筐体内におけるオゾンガスの滞留を示す通知信号を出力することを特徴とする。
【発明の効果】
【００１８】
本発明によれば、絶縁支持体の絶縁抵抗の低下またはその傾向を早期に発見することができる。
【図面の簡単な説明】
【００１９】
【図１】本発明の実施形態による閉鎖型スイッチギヤの内部を示す断面図である。
【図２】本発明の実施形態による閉鎖型スイッチギヤにおいてカメラ、自動記録装置、湿度センサおよびオゾンセンサ等を示すブロック図である。
【図３】本発明の実施形態による自動記録装置による処理を示すフローチャートである。
【発明を実施するための形態】
【００２０】
以下、本発明の実施の形態について図面を参照しながら説明する。
【００２１】
図１は、本発明の閉鎖型電気設備の実施形態である閉鎖型スイッチギヤを示している。図１において、本発明の実施形態である閉鎖型スイッチギヤ１は、例えば変電所の敷地内における屋外に設置された高圧受変電設備である。閉鎖型スイッチギヤ１は、筐体２を備えている。筐体２は、それぞれ金属により形成された床板２Ａ、４枚の側板２Ｂ（一部のみ図示）および天板２Ｃで中空の箱状に形成されており、前面の側板２Ｂと後面の側板２Ｂには金属製の扉３、４が設けられている。また、筐体２の内部には金属製の複数の隔壁５が設けられ、これら隔壁５により、筐体２内には複数の室、具体的には、主母線室６、避雷器室７、遮断器室８、ケーブル室９等が構成されている。
【００２２】
筐体２内には、受変電設備の機能を実現するための高電圧を印加する導体類、電気機器等が設けられている。具体的には、筐体２の主母線室６には高電圧を印加する導体類である主母線１１が設けられ、避雷器室７には避雷器１２が設けられている。さらに、遮断器室８には遮断器１３が設けられ、ケーブル室９には電力ケーブル１４が設けられている。また、筐体２の下部において、主母線室６とケーブル室９とは連通しており、当該連通部分には高電圧を印加する導体類である母線１５が設けられている。また、筐体２内の側面の側板には制御盤（図示せず）が取り付けられている。
【００２３】
主母線１１は、複数の絶縁支持体２１を介して隔壁５等に支持されている。各絶縁支持体２１は、絶縁材料、例えばエポキシ樹脂等の合成樹脂により形成された支持碍子である。これら絶縁支持体２１により、主母線１１は、それが支持された隔壁５等を含む周囲の物体から絶縁されている。また、母線１５も主母線１１と同様に、絶縁支持体２１により周囲とは絶縁された状態で支持されている。
【００２４】
また、筐体２には複数の通気口が設けられている。具体的には、扉３の下部に通気口２２が設けられ、扉４の下部に通気口２３が設けられている。また、天板２Ｃの上側にはダクト２６が設けられ、ダクト２６の前端部および後端部にはそれぞれ通気口２４、２５が設けられている。これら通気口２２〜２５を介して、筐体２内に外気を流通させることができる。さらに、ダクト２６の前端側であって通気口２４の近傍には電動のファン２７が設けられている。ファン２７により、ダクト２６を介して筐体２内に外気を強制的に流通させることができる。
【００２５】
なお、筐体２内の空間は隔壁５に仕切られ、主母線室６、避雷器室７、遮断器室８、ケーブル室９等に分割されているが、これらの室は、完全な密閉空間ではなく、各室の内外間において空気の流通が可能となるように構成されている。例えば、天板２Ｃ、側板２Ｂまたは床板２Ａと隔壁５との間等には空気の流通を許す隙間が形成され、また、空気の流通を確保するために隔壁５には必要に応じてスリット等が形成されている。
【００２６】
また、筐体２の主母線室６内にはカメラ３１が設けられている。カメラ３１は、主母線室６に配置された絶縁支持体２１を介して生じる主母線１１からの微小放電による発光を撮影する。この発光は、絶縁支持体２１の絶縁抵抗の低下により、主母線１１から絶縁支持体２１の表面を流れる漏れ電流によって引き起こされる微小放電による火花である。
【００２７】
カメラ３１は例えばデジタルビデオカメラであり、小型であることが望ましい。カメラ３１を小型にすることで、カメラ３１を主母線室６の小さい空間に容易に設置することが可能となる。また、カメラ３１は、外部から出力される制御信号に従って撮影を開始し、または撮影を停止する機能を備えている。
【００２８】
また、カメラ３１は高感度であることが望ましく、カメラ３１として暗視カメラを用いてもよい。筐体２内の主母線室６、避雷器室７、遮断器室８およびケーブル室９は、筐体２および隔壁５によりそれぞれ遮光されており、扉３および４を閉じた状態では、日中でも真っ暗な状態である。なお、空気を流通させる隙間やスリットは、空気の流通を許しつつも光を遮るように形成されている。カメラ３１を高感度とすることで、真っ暗な主母線室６内で微小放電による発光が生じたとき、その発光を明確に撮影することができる。
【００２９】
また、カメラ３１は、主母線室６内に配置された複数の絶縁支持体２１を介して生じる微小放電による発光を撮影することができる位置に配置されている。具体的には、カメラ３１は、主母線室６内の上部に配置され、天板２Ｃに取り付けられている。カメラ３１のレンズ３２は、主母線室６の上部から下方に向けられており、主母線室６の上部から下部にかけて配置された複数の絶縁支持体２１がカメラ３１の視野（撮影可能範囲）に入っている。したがって、これら絶縁支持体２１における発光をカメラ３１により撮影することができる。
【００３０】
また、図１に示すように、主母線１１の一部は、図１において右側に延び、避雷器室７と遮断器室８との間に位置する領域６Ａに達している。この領域６Ａは、隔壁５の一部に遮られてカメラ３１の視野に入らない。しかし、カメラ３１の撮影可能範囲が、この領域に配置されている絶縁支持体２１の近傍に達しており、当該撮影可能範囲と当該絶縁支持体２１との間に遮光物の存在していない空間が存在しているので、この領域６Ａに配置されている絶縁支持体２１において発光が生じたとき、その光はカメラ３１の撮影可能範囲に届く。この結果、カメラ３１により、領域６Ａに配置されている絶縁支持体２１における発光を撮影することができる。
【００３１】
また、筐体２内には、カメラ３１が撮影を行うことにより生成された画像（映像）データを記録する自動記録装置３３が設けられている。作業者が自動記録装置３３を操作することができるように、自動記録装置３３は、筐体２内において例えば扉３の近傍に配置されている。自動記録装置３３の詳細については後述する。
【００３２】
また、筐体２内には、湿度検出部としての湿度センサ３４が設けられている。湿度センサ３４は、筐体２内、特に主母線室６内の相対湿度を検出する。湿度センサ３４として、例えば電気式湿度計を用いることができる。湿度センサ３４は、筐体２内の下部に配置することが望ましい。筐体２内においてその上部よりも下部の方が温度が低く、それゆえ相対湿度が高くなるため、筐体２内の下部に湿度センサ３４を配置することにより、筐体２内の相対湿度の上昇を鋭敏に検出することができる。本実施形態では、特に主母線室６内の相対湿度を鋭敏に検出するために、湿度センサ３４が主母線室６の下側に配置されている。
【００３３】
また、筐体２内には、オゾン検出部としてのオゾンセンサ３５が設けられている。オゾンセンサ３５は、筐体２内に滞留したオゾンガスの濃度を検出する。オゾンセンサ３５として、例えば定電位電解法拡散式のオゾン濃度計等を用いることができる。オゾンガスは空気よりも重いため、筐体２内の底側に滞留する。オゾンセンサ３５は、筐体２の下部ないし底部に配置されており、これにより、筐体２内に滞留したオゾンガスの濃度を正確に検出することができる。
【００３４】
図２は、図１中のカメラ３１、自動記録装置３３、湿度センサ３４およびオゾンセンサ３５等を示している。図２において、自動記録装置３３は、上述したように、カメラ３１が撮影を行うことにより生成された画像データを記録する機能を有する装置であるが、この機能に加え、湿度センサ３４またはオゾンセンサ３５から出力された検出信号をもとに、カメラ３１の撮影開始および撮影停止を制御する機能をも有している。自動記録装置３３はＣＰＵ（中央処理装置）４１、記録部４２、およびいくつかのインターフェース４３〜４６を備えている。また、自動記録装置３３は、切換スイッチや押しボタン等を有する操作部（図示せず）を備えており、作業者は操作部を操作することにより、自動記録装置３３の動作モードを切り換えたり、自動記録装置３３に記録された画像データを出力させたりすることができる。
【００３５】
ＣＰＵ４１には、湿度センサ３４およびオゾンセンサ３５がインターフェース４３を介して接続されている。湿度センサ３４は、筐体２内の相対湿度値を示す検出信号をＣＰＵ４１に出力する。オゾンセンサ３５は、筐体２内のオゾンガスの濃度を示す検出信号をＣＰＵ４１に出力する。また、ＣＰＵ４１にはカメラ３１がインターフェース４４および４７を介して接続されている。ＣＰＵ４１はカメラ３１へ、撮影開始を指示する制御信号、および撮影停止を指示する制御信号を出力する。また、カメラ３１は、撮影を行うことにより生成された画像データをＣＰＵ４１へ出力する。また、ＣＰＵ４１には記録部４２が接続されている。記録部４２は例えばハードディスク装置またはフラッシュメモリ等である。ＣＰＵ４１は、カメラ３１から出力された画像データを記録部４２に出力し、記録部４２はＣＰＵ４１から出力された画像データを記録する。また、ＣＰＵ４１は、記録部４２に記録された画像データをインターフェース４５を介して外部に出力する機能を備えている。さらに、ＣＰＵ４１は、オゾンセンサ３５からの検出信号をもとに、後述するオゾンガス滞留通知信号をインターフェース４６を介して出力する機能を備えている。また、自動記録装置３３には、オゾンガス滞留通知信号の出力に応じて点灯または点滅するランプ４８が設けられている。
【００３６】
図３は自動記録装置３３における自動記録処理を示している。自動記録装置３３を稼働させると、図３に示す自動記録処理が開始される。自動記録処理において、まず、自動記録装置３３のＣＰＵ４１は、自動記録装置３３の動作モードが自動記録モードか手動記録モードかを判断する（ステップＳ１）。ここで、自動記録モードとは、自動記録装置３３が、湿度センサ３４またはオゾンセンサ３５から出力される検出信号をもとに、カメラ３１による撮影の開始および停止、並びにカメラ３１から出力された画像データの記録の開始および停止を自動的に行うモードである。一方、手動記録モードとは、カメラ３１による撮影の開始および停止、並びにカメラ３１から出力された画像データの記録の開始および停止を、作業者の手動操作により行うモードである。作業者は例えば自動記録装置３３の操作部に設けられた切換スイッチを操作することにより、自動記録モードと手動記録モードのいずれかを選択して設定することができる。自動記録装置３３の動作モードが手動記録モードである場合には（ステップＳ１：ＮＯ）、作業者は、自動記録装置３３の操作部を手動操作することにより、カメラ３１による撮影の開始および停止、並びにカメラ３１から出力された画像データの記録の開始および停止を行う（ステップＳ２）。
【００３７】
一方、自動記録装置３３の動作モードが自動記録モードである場合には（ステップＳ１：ＹＥＳ）、ＣＰＵ４１は、カメラ３１による撮影の開始および停止、並びにカメラ３１から出力された画像データの記録の開始および停止を自動的に行うべく、処理をステップＳ３に進める。そして、ステップＳ３において、ＣＰＵ４１は、湿度センサ３４から出力された検出信号をもとに、筐体２内の相対湿度が、予め設定されて記録部４２に記録された湿度基準値を上回った状態が所定時間継続したか否かを判断する。
【００３８】
筐体２内の相対湿度が湿度基準値を上回った状態が所定時間継続した場合には（ステップＳ３：ＹＥＳ）、ＣＰＵ４１は、カメラ３１へ、撮影の開始を指示する制御信号を出力すると共に、画像データの記録部４２への記録を開始する（ステップＳ６）。これにより、カメラ３１は、主母線室６内に配置された絶縁支持体２１およびそれらの周囲の撮影を開始し、これら絶縁支持体２１およびそれらの周囲が映った画像（映像）の画像データを生成し、この画像データをＣＰＵ４１に出力する。そして、ＣＰＵ４１はカメラ３１から出力された画像データを記録部４２へ出力し、記録部４２はＣＰＵ４１から出力された画像データを記録する。画像データは例えばＭＰＥＧフォーマットまたはＡＶＩフォーマット等の動画データであり、そこには絶縁支持体２１およびそれらの周囲が連続的に映っている。
【００３９】
一方、ステップＳ３において、筐体２内の相対湿度が湿度基準値を上回った状態が所定時間継続していない場合には（ステップＳ３：ＮＯ）、続いて、ＣＰＵ４１は、オゾンセンサ３５から出力された検出信号をもとに、筐体２内のオゾンガスの濃度が、予め設定されて記録部４２に記録されたオゾンガスの濃度基準値を上回った状態が所定時間継続したか否かを判断する（ステップＳ４）。
【００４０】
筐体２内のオゾンガスの濃度が濃度基準値を上回った状態が所定時間継続した場合には（ステップＳ４：ＹＥＳ）、ＣＰＵ４１はオゾンガス滞留通知信号を出力する（ステップＳ５）。ここで、自動記録装置３３の操作部にはオゾンガスの滞留を示すランプ４８（図２参照）が設けられている。ランプ４８は通常時は消灯しているが、オゾンガス滞留通知信号が出力されると、点灯または点滅する。作業者は、例えば定期点検時に、ランプ４８を確認することで、筐体２内のオゾンガスの滞留の有無または程度を容易に知ることができる。
【００４１】
さらに、筐体２内のオゾンガスの濃度が濃度基準値を上回った状態が所定時間継続した場合には、ＣＰＵ４１は、カメラ３１へ、撮影の開始を指示する制御信号を出力すると共に、画像データの記録部４２への記録を開始する。これにより、カメラ３１は、主母線室６内に配置された絶縁支持体２１およびそれらの周囲の撮影を開始し、これら絶縁支持体２１およびそれらの周囲が映った画像（映像）の画像データを生成し、この画像データをＣＰＵ４１に出力する。そして、ＣＰＵ４１はカメラ３１から出力された画像データを記録部４２へ出力し、記録部４２はＣＰＵ４１から出力された画像データを記録する。
【００４２】
カメラ３１による撮影および画像データの記録が開始された後、ＣＰＵ４１は、湿度センサ３４から出力された検出信号をもとに、筐体２内の相対湿度が湿度基準値以下となったか否かを判断すると共に、オゾンセンサ３５から出力された検出信号をもとに、筐体２内のオゾンガスの濃度が濃度基準値以下となったか否かを判断する（ステップＳ７、Ｓ８）。そして、筐体２内の相対湿度が湿度基準値を上回り、またはオゾンガスの濃度が濃度基準値を上回っている間（ステップＳ７：ＮＯまたはステップＳ８：ＮＯ）、ＣＰＵ４１は、カメラ３１による撮影および画像データの記録を継続させる。
【００４３】
一方、筐体２内の相対湿度が湿度基準値以下となり、かつオゾンガスの濃度が濃度基準値以下となったとき（ステップＳ７：ＹＥＳおよびステップＳ８：ＹＥＳ）、ＣＰＵ４１は、カメラ３１へ、撮影の停止を指示する制御信号を出力すると共に、画像データの記録部４２への記録を停止する（ステップＳ９）。これにより、カメラ３１は撮影を停止する。
【００４４】
他方、ＣＰＵ４１が、ステップＳ３において、筐体２内の相対湿度が湿度基準値を上回った状態が所定時間継続していないと判断し、かつ、ステップＳ４において、筐体２内のオゾンガスの濃度が濃度基準値を上回った状態が所定時間継続していないと判断した場合、ＣＰＵ４１は、撮影の開始を指示する制御信号をカメラ３１へ出力せず、かつ画像データの記録部４２への記録も開始しない。この場合、カメラ３１の撮影動作も記録部４２の記録動作も停止した状態が維持される。
【００４５】
自動記録装置３３は、自動記録モードである場合、このようなステップＳ３〜Ｓ９の処理を繰り返し実行する。作業者は、例えば閉鎖型スイッチギヤ１の定期点検時に、扉３を開き、自動記録装置３３にパーソナルコンピュータまたは外部メモリ等を接続し、自動記録装置３３の操作部を操作し、自動記録装置３３の記録部４２に記録された画像データをパーソナルコンピュータまたは外部メモリ等に転送する。続いて、作業者は事業所等に戻り、パーソナルコンピュータまたは外部メモリに転送した画像データを再生し、それを目視で確認し、あるいは、当該画像データを画像分析装置等により分析し、絶縁支持体２１を介して生じた微小放電による発光が撮影されているか否かを確かめる。画像データを再生した画像において、いずれの絶縁支持体２１においても発光が生じていない間、当該画像は暗闇が映っているのみである。一方、いずれかの絶縁支持体２１において発光が生じると、絶縁支持体２１が配置されている位置が明るくなる。作業者は、発光の有無、またはどの絶縁支持体２１において発光が生じたかを画像により認識することができる。
【００４６】
絶縁支持体２１において生じた微小放電による発光が撮影されている場合には、絶縁支持体２１の絶縁抵抗が低下していると考えられるので、作業者は、当該閉鎖型スイッチギヤ１をより本格的な点検、整備または修理が必要な閉鎖型スイッチギヤとして特定することができる。そして、作業者は、絶縁支持体２１に塵埃等が付着・堆積しているか否かの調査、閉鎖型スイッチギヤ１の筐体２内の相対湿度が高くなる原因の調査、換気方法の改善、相対湿度を下げるためのヒーターの設置、絶縁支持体２１の劣化・腐食の進行状態の確認、オゾンガスの除去、必要に応じて絶縁支持体２１の交換等を行い、これにより、当該閉鎖型スイッチギヤ１において、地絡または短絡の事故が発生することを未然に防止することができる。
【００４７】
以上説明した通り、本発明の実施形態による閉鎖型スイッチギヤ１によれば、絶縁支持体２１において生じた微小放電による発光を撮影し、撮影により生成された画像データを確認または画像分析することにより、絶縁支持体２１の絶縁抵抗の低下を発見することができるので、閉鎖型スイッチギヤ１の稼働を停止しなくても、絶縁支持体２１の絶縁抵抗の低下を発見することができ、閉鎖型スイッチギヤ１の稼働停止により、電力の供給の制限や停止を回避することができる。
【００４８】
また、本実施形態による閉鎖型スイッチギヤ１によれば、絶縁支持体２１において生じた微小放電による発光を確認することにより、絶縁支持体２１の絶縁抵抗の低下を発見するので、絶縁支持体２１の絶縁抵抗の低下を早期に発見することができる。したがって、当該閉鎖型スイッチギヤ１における地絡または短絡の事故を未然に防ぐことができる。
【００４９】
すなわち、上述したように、相対湿度が高くなり、絶縁支持体２１の表面に付着・堆積した塵埃等が湿った状態となった場合には、絶縁支持体２１の劣化・腐食がまだあまり進行していない初期の段階でも、絶縁抵抗の低下が生じ得る。絶縁支持体２１の絶縁抵抗の低下が生じると、微小放電により火花が発生する頻度が高まるので、絶縁支持体２１における発光を撮影して確認する方法によれば、絶縁支持体２１の劣化・腐食があまり進行していない初期の段階でも、当該絶縁支持体２１の絶縁抵抗の低下を発見することができる。したがって、絶縁支持体２１の絶縁抵抗の低下およびその傾向を早期に発見することができ、地絡または短絡の事故を未然に防止することができる。
【００５０】
また、本実施形態による閉鎖型スイッチギヤ１によれば、相対湿度が湿度基準値を上回ったときに、カメラ３１による撮影と画像データの記録を開始するので、絶縁支持体２１の劣化・腐食があまり進行していない初期の段階における絶縁支持体２１の絶縁抵抗の低下を発見するのに役立つ有意義な画像データのみを記録することができる。
【００５１】
すなわち、絶縁支持体２１の劣化・腐食があまり進行していない初期の段階において、相対湿度が低く、乾燥している状態では、絶縁支持体２１に付着・堆積した塵埃等も乾燥した状態であるため、絶縁抵抗の低下は生じにくく、微小放電による発光も起こりにくい。したがって、相対湿度が低い間に、カメラ３１による撮影または画像データの記録を行っても、絶縁支持体２１の絶縁抵抗の低下を発見するのに役立つ画像データは得ることができない。したがって、相対湿度が低い間は、カメラ３１による撮影も画像データの記録も行わないことで、無駄な画像データが長時間に亘って記録されるのを防止することができる。この結果、絶縁支持体２１の絶縁抵抗の低下を発見するのに役立つ有意義で、記録時間の比較的短い画像データのみを記録することができ、これにより、作業者は、その画像データを用いて確認・分析作業を行うことにより、絶縁支持体２１の絶縁抵抗の低下を効率よく短時間で発見することができる。
【００５２】
また、本実施形態による閉鎖型スイッチギヤ１によれば、オゾンガスの濃度が濃度基準値を上回ったときに、カメラ３１による撮影と画像データの記録を開始するので、絶縁支持体２１の劣化・腐食が進行している中期または後期の段階における絶縁支持体２１の絶縁抵抗の低下を発見するのに有用な画像データを記録することができる。したがって、作業者は、この画像データを用いて確認・分析作業を行うことにより、絶縁支持体２１の劣化・腐食進行の中期および後期段階の絶縁抵抗の低下の見落としをなくすことができる。
【００５３】
また、本実施形態による閉鎖型スイッチギヤ１によれば、相対湿度が湿度基準値以下となり、かつオゾンガスの濃度が濃度基準値以下となったときに、カメラ３１による撮影と画像データの記録を停止するので、絶縁抵抗の低下を発見するのに役立たない無駄な画像データが記録されるのを防止することができる。また、カメラ３１の撮影および画像データの記録の開始と停止との双方を自動的に行うことで、無人管理の閉鎖型スイッチギヤ１においても、閉鎖型スイッチギヤ１の監視を長期間行うことが可能になる。
【００５４】
また、本実施形態による閉鎖型スイッチギヤ１によれば、オゾンガスの濃度が濃度基準値を上回った状態が所定時間継続したときに、オゾンガス滞留通知信号を出力し、ランプ４８を点灯または点滅させる構成としたことにより、作業者は、筐体２内におけるオゾンガスの滞留を知ることができる。また、作業者は、オゾンガスが滞留していることと、絶縁支持体２１における発光が確認されたこととを合わせて考慮し、絶縁支持体２１の劣化・腐食の進行が、オゾンガスの影響により加速している可能性があることや、劣化・腐食の進行が中期または後期の段階に達していること等を予想することができる。
【００５５】
なお、上述した実施形態では、カメラ３１を主母線室６の上部に配置する場合を例にあげたが、本発明はこれに限らない。主母線室６内に配置された絶縁支持体２１における発光を適切に撮影することが可能な位置であれば、カメラ３１を他の位置に配置してもよい。また、主母線１１を支持する絶縁支持体２１が２つ以上の室に分散して配置されている場合には、２つ以上のカメラ３１を設け、室ごとにカメラ３１を配置してもよい。
【００５６】
また、主母線１１だけでなく、避雷器１２や遮断器１３を絶縁支持体２１で支持する構成である場合には、避雷器室７内や遮断器室８内にカメラ３１を配置してもよい。
【００５７】
また、絶縁支持体２１の中期または後期段階の劣化・腐食の発見が不要な場合、またはこの発見を別の方法で実現可能である場合等には、オゾンセンサ３５から出力される検出信号をもとにカメラ３１の撮影および画像データの記録を制御する処理を除外してもよい。この場合には、オゾンセンサ３５を設ける必要はない。
【００５８】
また、本発明は、請求の範囲および明細書全体から読み取ることのできる発明の要旨または思想に反しない範囲で適宜変更可能であり、そのような変更を伴う閉鎖型電気設備もまた本発明の技術思想に含まれる。
【符号の説明】
【００５９】
１  閉鎖型スイッチギヤ
２  筐体
２Ａ  底板
２Ｂ  側板
２Ｃ  天板
３、４  扉
５  隔壁
６  主母線室
６Ａ  領域
７  避雷器室
８  遮断器室
９  ケーブル室
１１  主母線
１２  避雷器
１３  遮断器
１４  電力ケーブル
１５  母線
２１  絶縁支持体
２２、２３、２４、２５  通気口
２６  ダクト
２７  ファン
３１  カメラ
３２  レンズ
３３  自動記録装置
３４  湿度センサ
３５  オゾンセンサ
４１  ＣＰＵ
４２  記録部
４３、４４、４５、４６、４７  インターフェース
４８  ランプ
【図１】
0005608777.tif 000002
【図２】
0005608777.tif 000003
【図３】
0005608777.tif 000004